(57)【要約】【課題】本発明は、ばねが取り付けやすくなり、ばね係合部材の位置がわかりやすく、また換気装置が天井材の上側に取り付けられても、ばねが挿入しやすくなる換気装置を提供することを目的としている。【解決手段】天井１１に取り付けられた換気装置７と、換気装置７に装着するルーバ１３の裏面に設けられた２股状で先端がほぼ環状のばね１４を有し、ばね１４と係合するよう換気装置７の内部にばね係合部材１５を具備し、ばね係合部材１５は、ばね挿入口１６とばね１４が挿入して係合する開口を有したばね係合部１７とばね挿入口１６からばね係合部１７までの間にばねの挿入を案内するガイド部１８とからなり、ガイド部１８をばね係合部１７に向かうにしたがって広がる形状とすることにより、ばねが挿入しやすくすることができる換気装置を提供できる。【選択図】図１
2007212001.tif 000002
【特許請求の範囲】
【請求項１】
底面に吸込口とフランジ部、側面に通風口を設けた箱体に、前記箱体の底面の開口を室内側から覆い装着される裏面に設けられた２股状で先端がほぼ環状の線ばねを有したルーバと、前記線ばねと係合するように前記箱体の開口の内部に線ばねと係合するばね係合部材を具備した天井に取り付けられる換気装置において、前記ばね係合部材は、前記線ばねが挿入されるばね挿入口から前記線ばねが係合されるばね係合部までの間を、前記線ばねの挿入を案内するばね係合部に向かうにしたがって広がる形状のガイド部とした構成を特徴とする換気装置。
【請求項２】
ガイド部の形状を、湾曲状とした構成を特徴とする請求項１記載の換気装置。
【請求項３】
ばね挿入口を、フランジ部の近傍に位置させた構成を特徴とする請求項１記載の換気装置。
【請求項４】
ばね係合部材に、線ばねの抜け止め用の壁面を設けた構成を特徴とする請求項１記載の換気装置。
【請求項５】
線ばねの抜け止め用の壁面を、換気装置に当接させた構成を特徴とする請求項４記載の換気装置。
【請求項６】
ばね挿入口に、線ばねを仮止めする仮止面を設けた構成を特徴とする請求項１または３記載の換気装置。
【請求項７】
ばね係合部材を、換気装置と異なる明るい色とした構成を特徴とする請求項１または４記載の換気装置。
【請求項８】
ばね係合部材の付近に、シールを貼り付けた構成を特徴とする請求項１、４、７のいずれかに記載の換気装置。
【発明の詳細な説明】
【技術分野】
【０００１】
本発明は、天井等に設置されて換気を行う換気装置に設けられるルーバのばね取り付けに関する。
【背景技術】
【０００２】
従来、この種の換気装置としては、ばね係合部材を本体内部のケーシングに設けて、ルーバのばねを取り付ける換気装置が知られている。
【０００３】
以下、その換気装置について図６、７を参照にしながら説明する。
【０００４】
天井１０１の下側または上側に換気装置１０２のフレーム１０３に設けたフランジ１０４を固定（図示せず）、または天井１０１の上に木枠１０５を設置し、木枠１０５の上に換気装置１０２のフランジ１０４を固定して取り付けられる換気装置１０２と、換気装置１０２の開口部１０６を室内側から覆い装着されるルーバ１０７とルーバ１０７を換気装置１０２に装着するためにルーバ１０７の裏面に設けられた２股状で先端がほぼ環状のばね１０８を有し、ばね１０８と係合するように換気装置１０２の内部のケーシング１０９に設けられたばね係合部材１１０を具備し、ばね係合部材１１０は、ばね挿入口１１１とばねが挿入して係合する開口を有したばね係合部１１２とからなり、２股状で先端がほぼ環状のばね１０８を手でつまみながらばね挿入口１１１よりばね１０８を挿入し、ばね係合部１１２に係合させてルーバを取り付ける構成にしている。
【特許文献１】実開昭５６−１６１４２３号公報
【発明の開示】
【発明が解決しようとする課題】
【０００５】
このような従来の換気装置では、２股状で先端がほぼ環状のばねを手でつまみながらばね挿入口よりばねを挿入し、ばね係合部に係合させる時に、ばね挿入口やばね係合部の開口を捜して入れなければならず、挿入しずらく、また、挿入していると思って手を離すと挿入されておらず、ばねの拡開力によりばねがばね係合部材からはずれ、手にあたるという課題があった。
【０００６】
また、換気扇本体内部のケーシングやフレームおよびばね係合部材は同材質で同色の場合が多く、色の区別がないため、ばね挿入時などは換気装置本体内部が暗く見えずらく、ばね係合部材の位置がわかりにくいという課題があった。
【０００７】
また、換気装置のフランジ部が天井の上側あるいは木枠の上側に設置される場合は、ばね係合部材とルーバまでの距離が長くなり、ばねが挿入しずらいという課題があった。
【０００８】
本発明は、上記課題を解決するもので、ばねが取り付けやすく、また、ばね係合部材の位置がわかりやすく、また、換気装置が天井あるいは木枠の上側に取り付けられても、ばねが挿入しやすくすることができる換気装置を提供することを目的としている。
【課題を解決するための手段】
【０００９】
本発明の換気装置は上記目的を達成するために、底面に吸込口とフランジ部、側面に通風口を設けた箱体に、前記箱体の底面の開口を室内側から覆い装着される裏面に設けられた２股状で先端がほぼ環状の線ばねを有したルーバと、前記線ばねと係合するように前記箱体の開口の内部に線ばねと係合するばね係合部材を具備した天井に取り付けられる換気装置において、前記ばね係合部材は、前記線ばねが挿入されるばね挿入口から前記線ばねが係合されるばね係合部までの間を、前記線ばねの挿入を案内するばね係合部に向かうにしたがって広がる形状のガイド部としたものである。
【００１０】
この手段により、ルーバに設けられた線ばねがばね係合部材に取り付けやすくすることができる換気装置が得られる。
【００１１】
また、他の手段は、ガイド部の形状を、湾曲状としたものである。
【００１２】
この手段により、ルーバに設けられた線ばねがばね係合部材のばね挿入口からばね係合部まで滑らかに挿入ことができる換気装置が得られる。
【００１３】
また、他の手段は、ばね挿入口を、フランジ部の近傍に位置させたものである。
【００１４】
この手段により、換気装置が天井の上側または木枠の上側に設置される場合でも、ばねがばね係合部材に取り付けやすくすることができる換気装置が得られる。
【００１５】
また、他の手段は、ばね係合部材に、線ばねの抜け止め用の壁面を設けたものである。
【００１６】
この手段により、線ばねがばね係合部材のばね挿入口を通過後、ばね係合部材の側面から線ばねが換気装置側面側に線ばねが抜け出すことを防止できるため、ばねが取り付けやすくすることができる換気装置が得られる。
【００１７】
また、線ばねの抜け止め用の壁面を、換気装置に当接させたものである。
【００１８】
この手段により、線ばねをばね係合部材に挿入する時に、換気装置とばね係合部材の側面の間にばねが入り込むことを防止できる換気装置が得られる。
【００１９】
また、他の手段は、ばね挿入口に、線ばねを仮止めする仮止面を設けたものである。
【００２０】
この手段により、線ばねがいったん仮止めされるため、ばね挿入口からばねの拡開力によりばねがばね係合部材から外れることを防止できる換気装置が得られる。
【００２１】
また、他の手段は、ばね係合部材を、換気装置と異なる明るい色としたものである。
【００２２】
この手段により、ばね係合部材の位置がわかりやすくすることができる換気装置が得られる。
【００２３】
また、他の手段は、ばね係合部材の付近に、シールを貼り付けたものである。
【００２４】
この手段により、ばね係合部材の位置がわかりやすくすることができる換気装置が得られる。
【発明の効果】
【００２５】
本発明によれば、底面に吸込口とフランジ部、側面に通風口を設けた箱体に、前記箱体の底面の開口を室内側から覆い装着される裏面に設けられた２股状で先端がほぼ環状の線ばねを有したルーバと、前記線ばねと係合するように前記箱体の開口の内部に線ばねと係合するばね係合部材を具備した天井に取り付けられる換気装置において、前記ばね係合部材は、前記線ばねが挿入されるばね挿入口から前記線ばねが係合されるばね係合部までの間を、前記線ばねの挿入を案内するばね係合部に向かうにしたがって広がる形状のガイド部としたことにより、ルーバに設けられた線ばねがばね係合部材に取り付けやすくできるという効果のある換気装置を提供できる。
【００２６】
また、ガイド部の形状を、湾曲状としたことにより、ルーバに設けられたばねがばね係合部材のばね挿入口からばね係合部まで滑らかに挿入ことができるという効果のある換気装置を提供できる。
【００２７】
また、ばね挿入口を、フランジ部の近傍に位置させたことにより、換気装置のフランジ部が天井の上側または木枠の上側に設置される場合でも、線ばねがばね係合部材に取り付けやすくできるという効果のある換気装置を提供できる。
【００２８】
また、ばね係合部材に、線ばねの抜け止め用の壁面を設けたことにより、線ばねがばね係合部材のばね挿入口を通過後、ばね係合部材の側面から線ばねが換気装置側面側に線ばねが抜け出すことを防止できるため、線ばねが取り付けやすくできるという効果のある換気装置を提供できる。
【００２９】
また、線ばねの抜け止め用の壁面を、換気装置に当接させたことにより、線ばねをばね係合部材に挿入する時に、換気装置とばね係合部材の側面の間に線ばねが入り込むことを防止できるという効果のある換気装置を提供できる。
【００３０】
また、ばね挿入口に、線ばねを仮止めする仮止面を設けたことにより、線ばねがいったん仮止めされるため、ばね挿入口から線ばねの拡開力により線ばねがばね係合部材から外れることを防止できるという効果のある換気装置を提供できる。
【００３１】
また、ばね係合部材を、換気装置と異なる明るい色としたことにより、ばね係合部材の位置がわかりやすくできるという効果のある換気装置を提供できる。
【００３２】
また、ばね係合部材の付近に、シールを貼り付けたことにより、ばね係合部材の位置がわかりやすくできるという効果のある換気装置を提供できる。
【発明を実施するための最良の形態】
【００３３】
本発明の請求項１記載の換気装置は、底面に吸込口とフランジ部、側面に通風口を設けた箱体に、前記箱体の底面の開口を室内側から覆い装着される裏面に設けられた２股状で先端がほぼ環状の線ばねを有したルーバと、前記線ばねと係合するように前記箱体の開口の内部に線ばねと係合するばね係合部材を具備した天井に取り付けられる換気装置において、前記ばね係合部材は、前記線ばねが挿入されるばね挿入口から前記線ばねが係合されるばね係合部までの間を、前記線ばねの挿入を案内するばね係合部に向かうにしたがって広がる形状のガイド部としたことにより、ルーバに設けられた線ばねがばね係合部材に取り付けやすくすることができるという作用を有する。
【００３４】
また、本発明の請求項２記載の換気装置は、ガイド部の形状を、湾曲状としたことにより、ルーバに設けられた線ばねがばね係合部材のばね挿入口からばね係合部まで滑らかに挿入ことができるという作用を有する。
【００３５】
また、本発明の請求項３記載の換気装置は、ばね挿入口を、フランジ部の近傍に位置させたことにより、換気装置が天井の上側または木枠の上側に設置される場合でも、線ばねがばね係合部材に取り付けやすくなるという作用を有する。
【００３６】
また、本発明の請求項４記載の換気装置は、ばね係合部材に、線ばねの抜け止め用の壁面を設けたことにより、線ばねがばね係合部材の挿入口を通過後、ばね係合部材の側面から線ばねが換気装置側面側に線ばねが抜け出すことを防止できるため、線ばねが取り付けやすくなるという作用を有する。
【００３７】
また、本発明の請求項５記載の換気装置は、線ばねの抜け止め用の壁面を、換気装置に当接させたことにより、線ばねをばね係合部材に挿入する時に、換気装置とばね係合部材の側面との間に線ばねが入り込むことを防止できるという作用を有する。
【００３８】
また、本発明の請求項６記載の換気装置は、ばね挿入口に、線ばねを仮止めする仮止面を設けたことにより、線ばねがいったん仮止めされるため、ばね挿入口から線ばねの拡開力により線ばねが外れることを防止できるという作用を有する。
【００３９】
また、本発明の請求項７記載の換気装置は、ばね係合部材を、換気装置と異なる明るい色としたことにより、ばね係合部材の位置がわかりやすくすることができるという作用を有する。
【００４０】
また、本発明の請求項７記載の換気装置は、ばね係合部材の付近に、シールを貼り付けたことにより、ばね係合部材の位置がわかりやすくすることができるという作用を有する。
【００４１】
以下、本発明の実施の形態について、図面を参照しながら説明する。
【００４２】
（実施の形態１）
図１〜図３に示すように、底面に吸込口１を有し、側面に通風口２を設け、上部にモータ３およびモータ保持板４、内部に羽根５、ケーシング６を収納した箱状の換気装置７と、通風口２に連通する換気装置７側の接続口８およびダクト９と連通するダクト９側の接続口１０を一体に設け、天井１１に設けた開口１２を覆うように装着されるルーバ１３とルーバ１３を装着するために、ルーバ１３の裏面に設けられた２股状で先端がほぼ環状の線ばね１４を２箇所有し、ばね係合部材１５に係合させて取り付ける構成としている。
【００４３】
上記構成において、換気装置７を取り付ける施工は、換気装置７のフランジ部２１を、図１のように天井１１の上側に設置する方法や、天井１１の下側に設置する方法（図示せず）、また、天井１１と同一面（図示せず）に設置する方法などが行われている。その換気装置７の設置位置に対応できるように、ルーバ１３の裏面に設けられた線ばね１４の長さ、線径、巻数を決定している。
【００４４】
そして、換気装置７を運転すると、モータ３そして羽根５が駆動し、吸込口１から室内の空気が吸込まれると共に、ダクト９を介して室外へ排出されることとなる。
【００４５】
ルーバ１３の取り付け方法としては、ルーバ１３の裏面に設けられた２股状で先端がほぼ環状の線ばね１４を２個手でつまみながら、換気装置７内部のケーシング６に設けられたばね係合部材１５に取り付ける。図２、図３に示すように、ばね係合部材１５はばね挿入口１６と係合する開口を有したばね係合部１７とばね挿入口１６からばね係合部１７までの間に、ばねの挿入を案内するガイド部１８とからなり、ガイド部１８はばね係合部１７に向かうにしたがって広がる形状となっている。線ばね１４はばね係合部材１５のばね挿入口１６から挿入してほぼ環状の先端がガイド部１８を滑るように動作し、ばね係合部１７に係合して、ルーバ１３を取り付ける構成となっている。
【００４６】
樹脂で作られているばね係合部材１５は線ばね１４を受ける強度が必要のため、ガイド部１８はある程度（５ｍｍ以上）の上方向の長さが必要である。また、図８に示すように従来はガイド部１８がストレートのため、ばねの拡開力は横方向にかかり、線ばね１４を上側に押し上げなくてはならないが、図３に示すようにガイド部１８がばね係合部１７に向かうにしたがって広がる形状となるため、ガイド部１８から見て、ばね係合部１７方向に向かって力が働くよう拡開力が分散される。よって、ばね挿入口１６を通過すると自然に線ばね１４の拡開力によりばね係合部１７まで押し上げる。
【００４７】
図３に示すように、ガイド部１８の角度ａは１１０度から１３０度が望ましい。それは
角度が９０度から１１０度までの場合、線ばね１４を上に押し上げる力が弱くなってしまうし、また、角度が１３０度を超える場合、ばね勘合部幅ｂを一定にして、ばね挿入口１６を狭くすると線ばね１４の挿入が入れずらくなるため、ばね勘合部幅ｂの寸法を広げる必要があるが、これを行うと線ばね１４が係合された状態におけるばね定数が小さくなるため、ルーバ１３と天井１１に隙間ができるかあるいはばね定数を大きくするため、線径を大きくしたり、線ばね１４の有効巻数を上げたり、線ばね１４の巻き直径を大きくする必要がある。これを行うとルーバ１３を取り付け時につまむ力を強くしなくてはならないため、作業がしずらくなる。また、角度が約１２０度と９０度（ストレート）のもので取り付けの比較をアンケートという官能評価で行った場合、１０人中７人の人が取り付けやすくなったと答えており、また残り３人の人も同等という回答をしている。ただし、これはｂが５０ｍｍから７５ｍｍの場合における確認であり、他の寸法の場合は数値が若干変わる可能性はある。
【００４８】
また、図１に示すように、高さ方向において、ばね挿入口１６を換気装置７のフランジ部２１近傍に位置させた構成となっている。これは、ルーバ１３を取り付けた時に、線ばね１４の中央に位置する円の直径がルーバ１３の端面から飛び出る分だけばね挿入口１６の位置を換気装置７のフランジ部２１より内部に位置させる必要があるが、ルーバ１３の厚みが厚いタイプなどにおいては線ばね１４の中央に位置する円の直径がルーバ１３より飛び出すことがないため、フランジ部２１と同一面にすることができるが、線ばね１４の中央に位置する円の直径がルーバ１３端面より飛び出る場合は、ルーバ１３をフランジ部２１と同一面にするため、中央に位置する円の直径がばね挿入口１６に挿入されない程度に、フランジ部２１の端面に近づけるようばね係合部材１５の高さを長くする形状とする。
【００４９】
また、ばね係合部材１５にばね抜け止め用の壁面１９を設けた構成としている。この壁面１９は換気装置７側の壁面１９のみ設けており、反対側は設けていない。これは、線ばね１４をばね係合部材１５に挿入時に換気装置の中心側から横にずらして挿入する場合もあるため、こちらの面には壁面１９を設けることはしない。
【００５０】
また、ばね挿入口１６に仮止め用の仮止面２０を設けた構成としている。仮止面２０は線ばね１４の先端が引っ掛かるように設けており、先端の環状径よりやや大きい程度（５ｍｍ）あれば良い。
【００５１】
また、ばね係合部材１５を換気装置７と異なる明るい色としている。換気装置７は一般的にはルーバ１３の隙間から見える場合を考慮し、黒やグレーなどで作られている。そのため、ばね係合部材１５も同材質で同色の場合が多く、色の区別がないため、ばねを挿入時などは換気装置内部が暗く見えずらいため、位置がわかりにくい。そのため、ばね係合部材１５は白色や透明色など明るい色で作られている。
【００５２】
また、ばね係合部材１５はケーシング６に熱溶着、接着材、ねじ止め、いずれの取り付け方法でも良しとする。
【００５３】
このように本発明の実施の形態１の換気装置によれば、天井１１に取り付けられた換気装置７と、換気装置７の開口１２を室内側から覆い装着されるルーバ１３とルーバ１３を換気装置７に装着するためにルーバ１３の裏面に設けられた２股状で先端がほぼ環状の線ばね１４を有し、線ばね１４と係合するように、換気装置７に内部に設けられたばね係合部材１５を具備し、前記ばね係合部材１５は、ばね挿入口１６と線ばね１４が挿入して係合する開口を有したばね係合部１７とばね挿入口１６からばね係合部１７までの間に、線ばね１４の挿入を案内するガイド部１８とからなり、ガイド部１８をばね係合部１７に向かうにしたがって広がる形状にしたので、ルーバ１３に設けられた線ばね１４がばね係合部材１５のばね挿入口１６からばね係合部１７まで滑らかに挿入できる。
【００５４】
また、ばね挿入口１６を換気装置７のフランジ部２１近傍に位置させた構成としたので、換気装置７のフランジ部２１が天井１１の上側または木枠の上側に設置される場合でも、線ばね１４がばね係合部材１５に取り付けやすくできる。
【００５５】
また、ばね係合部材１５にばね抜け止め用の壁面１９を設けた構成としたので、線ばね１４がばね係合部材１５のばね挿入口１６を通過後、ばね係合部材１５の側面から線ばね１４が換気装置７側面側に線ばね１４が抜け出すことを防止できるため、線ばね１４が取り付けやすくできる。
【００５６】
また、ばね挿入口１６に仮止め用の仮止面２０を設けた構成としたので、線ばね１４がいったん仮止めされるため、ばね挿入口１６から線ばね１４の拡開力により線ばね１４がばね係合部材１５から外れることを防止できる。
【００５７】
また、ばね係合部材１５を換気装置７と異なる明るい色としたので、ばね係合部材１５位置がわかりやすくできる。ばね係合部材１５付近に白色で赤文字などのシールを貼り付けた場合においても同様の効果が得られる。
【００５８】
ばね係合部材１５は、ケーシング６に取り付けているが、換気装置７に取り付けた場合においても、同様の効果が得られる。
【００５９】
（実施の形態２）
図４に示すように、ガイド部１８Ａの形状を湾曲状にしたものである。
【００６０】
上記構成において、ルーバ１３に設けられた線ばね１４がばね係合部材１５のばね挿入口１６から挿入後、線ばね１４の先端部がほぼ環状になっているため、その環状のＲ形状と湾曲状との接触抵抗が少なくなり、滑らかに動き、そして、湾曲状の後半部分とばね係合部１７までに高低差があることによりばね係合部１７に向かう力が増加し、線ばね１４の挿入を滑らかにすることができる。
【００６１】
（実施の形態３）
図５に示すように、ばね係合部材１５Ａに設けたばね抜け止め用の壁面１９Ａを換気装置７に当接させる構成としたものである。
【００６２】
上記構成において、線ばね１４をばね係合部材１５Ａに挿入する時に、換気装置７側面とばね係合部材１５の側面の間に線ばね１４が入り込むことを防止できる。
【産業上の利用可能性】
【００６３】
本発明にかかる換気装置におけるルーバのばね取り付け構造は、天井等に本体を設置し吸込口にルーバのばねを容易に取り付けできる構造によって、空調機、送風機等に設けられているルーバのばね取り付けにも適応できる。
【図面の簡単な説明】
【００６４】
【図１】本発明の実施の形態１における換気装置の側面断面図
【図２】同換気装置のばね係合部材の斜視図
【図３】同換気装置のばね係合部材の側面断面図
【図４】本発明の実施の形態２における換気装置のばね係合部材の側面断面図
【図５】本発明の実施の形態３における換気装置の側面断面図
【図６】従来の換気装置の側面断面図
【図７】同換気装置のばね係合部材の斜視図
【符号の説明】
【００６５】
１      吸込口
２      通風口
７      換気装置
１１    天井
１２    開口
１３    ルーバ
１４    線ばね
１５    ばね係合部材
１５Ａ  ばね係合部材
１６    ばね挿入口
１７    ばね係合部
１８    ガイド部
１８Ａ  ガイド部
１９    壁面
１９Ａ  壁面
２０    仮止面
２１    フランジ部
【図１】
2007212001.tif 000003
【図２】
2007212001.tif 000004
【図３】
2007212001.tif 000005
【図４】
2007212001.tif 000006
【図５】
2007212001.tif 000007
【図６】
2007212001.tif 000008
【図７】
2007212001.tif 000009